(57)【要約】【課題】本発明は洗浄が簡単でかつ抽出したコーヒーのみを確実に滴下できるろ過器具を提供することを目的とする。【解決手段】水溜め部のノズルから水を滴下させてコーヒーを抽出する装置に使用される濾し材を備えたろ過器具において、前記ろ過器具が両端に開口が形成された下端に底面のない筒状のろ過器具本体と、このろ過器具本体の前記下端に嵌合する濾し材が組み込まれた枠材とで形成されたこと特徴とするろ過器具。【選択図】図１
2008154851.tif 000002
【特許請求の範囲】
【請求項１】
水溜め部のノズルから水を滴下させてコーヒーを抽出する装置に使用される濾し材を備えたろ過器具であって、
前記ろ過器具は、その長さ方向における両端部が開口してなる筒状のろ過器具本体と、
前記ろ過器具本体の前記長さ方向における下端に嵌合して設けられた枠材と、
前記枠材に組み込まれ、前記ろ過器具本体の開口を塞ぐようにして設けられた濾し材と、
を備えることを特徴とする、ろ過器具。
【請求項２】
前記枠材がシリコンからなることを特徴とする、請求項１に記載のろ過器具。
【請求項３】
前記枠材は、前記濾し材を着脱自在に構成したことを特徴とする、請求項１又は２に記載のろ過器具。
【請求項４】
前記濾し材は、前記枠材に対して固定及び支持させるための支持材と、この支持体に連続する濾す機能を有するフィルター部とを含むことを特徴とする、請求項１〜３のいずれか一に記載のろ過器具。
【請求項５】
前記濾し材は、下方に突出するようにして構成したことを特徴とする、請求項１〜４のいずれか一に記載のろ過器具。
【請求項６】
前記濾し材が下方に突出するように形成する際に、前記支持材の少なくとも一部が前記下方に突出した形状の一部を構成するようにして構成したことを特徴とする、請求項５に記載のろ過器具。
【請求項７】
受け容器の上部に濾し材を備えたろ過器具を載置し、前記ろ過器具の上方に水の滴下ノズルを備えた水溜め部を配置し、前記ろ過器具にコーヒー粉を投入して前記滴下ノズルからの滴下水で前記濾し材を介して前記受け容器へコーヒー液を抽出する水出しコーヒー抽出装置において、前記ろ過器具として請求項１ないし６いずれかのろ過器具を使用したことを特徴とする、水出しコーヒー抽出装置。
【発明の詳細な説明】
【技術分野】
【０００１】
本発明は、コーヒー抽出装置に使用されるろ過器具に関し、特に水出しコーヒー抽出装置に最適なろ過器具に関するものである。
【背景技術】
【０００２】
従来、水出しコーヒー抽出装置は、滴下する水を溜めるタンクと、このタンクの下方に位置され内部にコーヒー粉を入れ、滴下する水を受け止めコーヒーを抽出するろ過器具と、このろ過器具から滴下するコーヒーを受け止めるポットとから構成されている。そして、前記ろ過器具は両端に開口が形成されているが、上部は開口面積を広く下部は開口面積を狭くし排出口を突出形成したものであり、使用される濾し材は上部開口からろ過器具の内部に入れられ、排出口から落下しない大きさのものが使用されていた（例えば特許文献１参照）。
【特許文献１】特開２００１−０７８８９２号公報
【発明の開示】
【発明が解決しようとする課題】
【０００３】
しかしながら、上記したようにろ過器具に突出する排出口を形成した場合、抽出液をポットへ落下させやすいが、洗浄時やその他取扱い時に排出口を破損する虞が高い。また、濾し材はろ過器具内部に載置されているだけであるため、コーヒー粉をろ過器具に入れたときに前記濾し材が動いてしまい、コーヒー粉が濾し材の下に回り込んで、抽出時に抽出液と一緒にポットに落下してしまう。したがって、抽出したコーヒー中に抽出済みあるいは未抽出のコーヒー粉が混入してしまい、前記コーヒーの味覚を損ねてしまう場合があった。
【０００４】
さらに、抽出後、ろ過器具からコーヒー粉を捨てるとき、上部開口から捨てるので、濾し材も一緒に捨ててしまう虞があった。
【０００５】
そこで、本発明は洗浄が簡単でかつ抽出したコーヒーのみを確実に滴下できるろ過器具を提供することを目的とする。
【課題を解決するための手段】
【０００６】
上記目的を達成するために、請求項１に対応する発明は、水溜め部のノズルから水を滴下させてコーヒーを抽出する装置に使用される濾し材を備えたろ過器具であって、
前記ろ過器具は、その長さ方向における両端部が開口してなる筒状のろ過器具本体と、
前記ろ過器具は、その長さ方向における両端部が開口してなる筒状のろ過器具本体と、
前記ろ過器具本体の前記長さ方向における下端に嵌合して設けられた枠材と、
前記枠材に組み込まれ、前記ろ過器具本体の開口を塞ぐようにして設けられた濾し材と、
を備えることを特徴とする、ろ過器具に関する。
【０００７】
このように、ろ過器具本体の両端に開口を形成したことにより、容器本体の洗浄が容易となる。また、ろ過器具本体の下端に底面のない筒状として絞り加工をして抽出口を形成しなかったので、抽出口の破損の要因を排除させることができる。
【０００８】
なお、「下端に底面のない筒状」とは、絞り加工して底面を形成しないことはもちろん、ロート状に抽出口を形成しないことも含むものである。しかしながら、抽出（すなわち抽出口）に関して特に影響を与えないような、前記ろ過器具を所定の枠材に設置する際に、その設置を容易に行うことができるように、前記ろ過器具（ろ過器具本体）の下端を縮径（１０〜１５ｍｍ程度）することは排除しない。
【０００９】
請求項２に対応する発明は、請求項１に対応する発明に記載のろ過器具において、前記枠材をシリコンとしたものである。枠材をシリコンとしたことにより、下端開口に取り付けるときに、容易に形状を変形させることができ、かつ容易に密着させることができる。
【００１０】
請求項３に対応する発明は、請求項１または２に対応する発明に記載のろ過器具において、前記濾し材を前記枠材に着脱自在としたものである。このように着脱自在とすることにより、濾し材および枠材の洗浄が容易となり、かつこれらのパーツが損傷した場合、容易に取り替えることができる。また、ろ過器具本体も食器洗い機やコップ等を洗うスポンジで容易に洗浄することができる。
【００１１】
請求項４に対応する発明は、請求項１ないし３いずれかに対応する発明に記載のろ過器具において、前記濾し材をフィルター部と支持材とで構成するようにしたものである。このように、濾し材を構成することで、コーヒー粉の重さや滴下される水の重さが加わっても、前記枠材でこの支持材をしっかりと保持することができる。
【００１２】
請求項５に対応する発明は、請求項４に対応する発明に記載のろ過器具において、前記濾し材がコーヒーを抽出するとき下に凸の形状となるようにした。このように、濾し材が下に凸となることにより、抽出したコーヒーを凸の所から滴下させることができるので、抽出したコーヒーが容易に滴下しやすくなり、ろ過器具内に留まる抽出したコーヒーを少なくすることができる。
【００１３】
請求項６に対応する発明は、請求項５に対応する発明に記載のろ過器具において、前記濾し材が下方に突出するように形成する際に、前記支持材の少なくとも一部が前記下方に突出した形状の一部を構成するようにして構成した。濾し材を下方に凸の形状とする際には主としてそのフィルター部がその形状変形を担うことになるが、その変形の一部を少なくとも前記濾し材の前記支持体が担うようにすることによって、前記濾し材が下方に突出して変形した際におけるその強度を十分に高く保持することができる。
【００１４】
請求項７に対応する発明は、受け容器の上部に濾し材を備えたろ過器具を載置し、前記ろ過器具の上方に水の滴下ノズルを備えた水溜め部を配置し、前記ろ過器具にコーヒー粉を投入して前記滴下ノズルからの滴下水で前記濾し材を介して前記受け容器へコーヒー液を抽出する水出しコーヒー抽出装置において、請求項１ないし６いずれかに記載の発明に記載されたろ過器具を使用する。
【発明の効果】
【００１５】
本発明のろ過器具は、ろ過器具本体の両端の開口が広いものを用いているので、洗浄しやすく破損しにくいものとなっている。また、濾し材をフィルター部と支持材とで構成するようにしたので、枠材に濾し材を取り付けたとき支持材をしっかりと保持することができるので、抽出時にコーヒー粉を受け容器に落下させる虞がない。
【発明を実施するための最良の形態】
【００１６】
以下図面を参照しながら、本発明の実施の形態を説明する。
【００１７】
（ろ過器具）
図1は、本発明のろ過器具の一例を示す概略的に示す一部断面構成図であり、図２は、図1に示すろ過器具の枠材部分を拡大して示す一部断面構成図であり、図3は、図1に示す濾し材部分を拡大して示す一部断面構成図である。なお、これらの図面においては、中心線に対して右方に位置する側において断面として表している。
【００１８】
図1に示すろ過器具１は、ろ過器具本体２と、このろ過器具本体２に取り付けられる枠体３とを含んでいる。また、枠体３には、ろ過器具本体２の下端に位置する開口を閉塞するようにして濾し材４が着脱自在に取り付けられている。
【００１９】
ろ過器具本体２は、例えばホウケイ酸ガラスをブロー成形して形成することができ、両端が開口された筒形で上端開口は内径５２ｍｍで、下端開口は内径３５ｍｍとすることができる。なお、図１からわかるように、上端開口付近に内径を縮径した第１の縮径部５と、下端開口付近に内径をさらに縮径した第２の縮径部６とが形成されている。そして、第１の縮径部５と第２の縮径部６との間の内径は４７ｍｍとなっており、本実施例では、下端の縮径を１２ｍｍとしたものである。第２の縮径部６は、ろ過装置本体２に対して上述した枠体３を嵌合させて下端開口に取り付ける際の嵌め込み部分を構成するものである。
【００２０】
枠体３はシリコン製のものであり、図２に示すように、両端が開口された筒形で上端開口には、ろ過器具本体２に嵌合させたときに、ろ過器具本体２内部にはみ出すようにして構成したフランジ部７と、下端開口には、後述する濾し材４が組み込まれ、保持するための保持部８とが形成されている。枠体３の外径はろ過器具本体２の下端開口の内径よりも大きくしてあり、枠体３を取り付けたときの枠体の反発力でろ過器具本体２に保持されるようにされている。
【００２１】
濾し材４はポリエステル製であり、図３に示すように、フィルター部９と支持材１０とを一体成形したものである。支持材１０はドーナツ型（リング状）であり、枠体３の保持部８に組み込まれるものである。フィルター部９は、目開き４４μｍのメッシュに成形されている。
【００２２】
本例におけるろ過器具１においては、ろ過器具本体の両端に開口を形成しているので、容器本体の洗浄が容易となる。また、従来のように、ろ過器具本体の下端に絞り加工をして排出口を形成していないので、排出口の破損などのような問題を排除することができる。また、枠体３をシリコンとしているので、ろ過器具本体２の下端開口、すなわち第２の縮径部６に取り付ける際に、その形状を容易に変形させることができ、簡易に嵌合させて固定することができる。
【００２３】
また、濾し材４は、ろ過器具本体２の下端に位置する開口を閉塞するようにして枠体３に対して着脱自在に取り付けられているので、濾し材４および枠体３の洗浄が容易となり、かつこれらのパーツが損傷した場合、容易に取り替えることができる。また、ろ過器具本体２も食器洗い機やコップ等を洗うスポンジで容易に洗浄することができるようになる。さらに、ろ過器具１において、濾し材４はフィルター部９と支持材１０とを一体成形で構成するようにしているので、コーヒー粉の重さや滴下される水の重さが加わっても、支持材１０を介して濾し材４を枠体３で堅持することができる。
【００２４】
図４〜６は、本発明のろ過装置における他の例を示す図である。本例では、図１〜３に関する例に対して、その濾し材の構成を替えたのみであってその他の構成要素については同じである。したがって、以下においては、濾し材の構成要件について詳細に説明する。また、類似あるいは同一の構成要素に関しては、同じ参照数字を用いている。図４は、濾し材４を下側から見た場合の平面図であり、図５は、濾し材４の側断面図であり、図６は、濾し材４の側面図である。
【００２５】
図４〜６に示すように、濾し材４において、フィルター部９を下側に窪ませるとともに、支持材１０に濾し材４の中心に向かって延在する枝状部１１を設け、濾し材４全体として見た場合に、下方に突出したような構成となっている。したがって、抽出したコーヒーを濾し材４の下方に突出した凸部から滴下させることができるので、抽出したコーヒーが容易に滴下しやすくなり、ろ過器具１内に留まる抽出したコーヒーを少なくすることができる。
【００２６】
また、支持材１０が濾し材４の中心に向かって延在する枝状部１１を設け、これによって凸状に変形したフィルター部９を支持するようになるので、濾し材４が下方に突出して変形した際におけるその強度を十分に高く保持することができる。さらに、枝状部１１は濾し材４の中心までは伸びておらず、中心付近はフィルター部としている。このように、中心付近をフィルター部のままにすることにより、抽出したコーヒーの滴下をスムーズに行うことができる。
【００２７】
なお、図４〜６に示す例では、支持材１０を１重に形成したリング状部材（ドーナツ部材）から構成するようにしているが、２重以上のリング状部材（ドーナツ部材）とすることができる。この場合、外側のリング状部材から延在した枝状部１１を内側のリング状部材と結合するような構成とすることもできる。
【００２８】
また、図４〜６に示す例では、枝状部１１を三本形成しているが、少なくとも二本形成すればフィルター部の強度を向上させることができる。また、下に凸とする箇所を二箇所、三箇所とするように濾し材４を形成してもよい。
【００２９】
（水出しコーヒー抽出装置）
次に、上述したろ過器具を利用した水出しコーヒー抽出装置について説明する。図７は、本発明の水出しコーヒー抽出装置の一例を示す部分断面構成図である。なお、図７において、中心線より右側の部分を断面として表している。
【００３０】
図７に示す水出しコーヒー抽出装置１０１は、支柱１０２と、抽出したコーヒーを溜める受け容器１０４と、受け容器１０４の開口に載置するろ過器具ホルダー１０５と、このろ過器具ホルダー１０５に設置されコーヒー粉を入れるろ過器具１と、このろ過器具１の上方に配置される水溜め部１０６と、水溜め部１０６に水を供給する給水部１０７とからなっている。ろ過器具１は、上述したような本発明のろ過器具である。
【００３１】
支柱１０２は三本の線材を加工して作られたものであり、下部には支柱１０２を構成する三本の線材を取り付けられる、受け容器１０４を載置する受け皿が形成されており、上部には給水部１０７および水溜め部１０６を保持するホルダー１０８が取り付けられている。
【００３２】
受け容器１０４はホウケイ酸ガラス製でブロー成形により形成されたものであり、上端に開口が形成され、任意位置にリップルが形成されているものである。
【００３３】
ろ過器具ホルダー１０５はステンレス製であり、受け容器の開口に載置され、ろ過器具１を設置するための開口孔が形成されている。この開口孔にはろ過器具１の第１の縮径部５が設置されるものである。
【００３４】
水溜め部１０６は、ホウケイ酸ガラス製で両端を開口した筒状部材と、筒状部材の下端開口に取り付けられる調整コック１０９から形成されている。この筒状部材の上端開口はフレアー状に拡開され、ホルダー１０８に形成されている孔に掛けられるようにされている。調整コック１０９は筒状部材の下端開口に嵌合するシリコン栓１１０とこのシリコン栓１１０に嵌合する金属製のノズル１１１から形成されている。
【００３５】
給水部１０７は、ホウケイ酸ガラス製で開口が一箇所しかないタンクと、このタンクの開口に取り付けられる滴下ノズル１１２から形成されている。このタンクは支柱１０２に取り付けられたホルダー１０８に保持される。滴下ノズル１１２は、タンクの開口と嵌合するシリコン栓１１３と、シリコン栓１１３と嵌合する金属製のノズル１１４から形成されている。このノズルの下端近傍の側面には給気用の孔１１５が形成されている。
【００３６】
このコーヒー抽出装置において、給水部１０７内に水を５６０ｍｌ入れて支柱１０２にセットし、例えばろ過器具１にコーヒー粉を４５ｇ入れるとともに粉が飛散しない程度に水を５０ｍｌ加える。給水部１０７の水は水溜め部１０６に流入するが、この流入が進むにつれて給水部１０７内の上側空間部は低圧となり、水は水溜め部１０６に挿入されている給水部１０７のノズルの孔１１５を越えた適当な位置で水溜め部１０６への流入は停止する。
【００３７】
この後、水溜め部１０６のコックを開いてろ過器具１内に水滴を滴下させる。水溜め部１０６内の水位が下がり、その水面がノズルの孔１１５の位置より下になると、孔１１５から空気がタンク内に入り、タンクの空間部の気圧は大気圧となり、再び水溜め部１０６内へ水が流入する。ノズルからの水滴はコーヒー粉の表面から浸透していき、フィルター部で濾されて受け容器１０４にコーヒー液が溜まる。
【００３８】
図７に示す水出しコーヒー抽出装置１０１においては、ろ過器具１の本体２の両端の開口が広いものを用いているので、洗浄しやすく破損しにくいものとなっている。また、ろ過器具１の濾し材４をフィルター部９と支持材１０とで構成するようにしたので、ろ過器具本体２の枠材に濾し材４を支持材１０介して堅持することができるので、抽出時にコーヒー粉を受け容器１０４に落下させる虞がない。したがって、受け容器１０４において抽出したコーヒー中に抽出済みあるいは抽出後のコーヒー粉が混入するのを防止することができ、コーヒーの味覚を損なうようなことがない。
【産業上の利用可能性】
【００３９】
上記実施例では、ろ過器具内に供給される水で抽出されるコーヒーを受け容器に滴下させていたが、このろ過器具をさらに深く受け容器内に入れ、ろ過器具を受け容器内に入れられるお湯に浸漬する状態とすれば、お茶や紅茶を抽出することも可能となる。
【図面の簡単な説明】
【００４０】
【図１】本発明のろ過器具の一例を示す概略的に示す一部断面構成図である。
【図２】図1に示すろ過器具の枠材部分を拡大して示す一部断面構成図である。
【図３】図1に示す濾し材部分を拡大して示す一部断面構成図である。
【図４】本発明のろ過装置における他の例における、濾し材を下側から見た場合の平面図である。
【図５】図４に示す濾し材の側断面図である。
【図６】図４に示す濾し材の側面図である。
【図７】本発明の水出しコーヒー抽出装置の一例を示す部分断面構成図である。
【符号の説明】
【００４１】
１…ろ過器具、２…ろ過器具本体、３…枠体、４…濾し材、５…第１の縮径部、６…第２の縮径部、７…フランジ部、８…保持部、９…フィルター部、１０…支持材、１１…枝状部
【図１】
2008154851.tif 000003
【図２】
2008154851.tif 000004
【図３】
2008154851.tif 000005
【図４】
2008154851.tif 000006
【図５】
2008154851.tif 000007
【図６】
2008154851.tif 000008
【図７】
2008154851.tif 000009
【手続補正書】
【提出日】平成19年12月28日(2007.12.28)
【手続補正１】
【補正対象書類名】特許請求の範囲
【補正対象項目名】全文
【補正方法】変更
【補正の内容】
【特許請求の範囲】
【請求項１】
水溜め部のノズルから水を滴下させてコーヒーを抽出する装置に使用される濾し材を備えたろ過器具であって、  前記ろ過器具は、その長さ方向における両端部が開口してなる筒状のろ過器具本体と、  前記ろ過器具本体の前記長さ方向における下端に嵌合して設けられた枠材と、  前記枠材に組み込まれ、前記ろ過器具本体の開口を塞ぐようにして設けられた濾し材と、  を備えることを特徴とする、ろ過器具。
【請求項２】
前記枠材がシリコンからなることを特徴とする、請求項１に記載のろ過器具。
【請求項３】
前記枠材は、前記濾し材を着脱自在に構成したことを特徴とする、請求項１又は２に記載のろ過器具。
【請求項４】
前記濾し材は、前記枠材に対して固定及び支持させるための支持材と、この支持材に連続する濾す機能を有するフィルター部とを含むことを特徴とする、請求項１〜３のいずれか一に記載のろ過器具。
【請求項５】
前記濾し材は、下方に突出するようにして構成したことを特徴とする、請求項１〜４のいずれか一に記載のろ過器具。
【請求項６】
前記濾し材が下方に突出するように形成する際に、前記支持材の少なくとも一部が前記下方に突出した形状の一部を構成するようにして構成したことを特徴とする、請求項５に記載のろ過器具。
【請求項７】
受け容器の上部に濾し材を備えたろ過器具を載置し、前記ろ過器具の上方に水の滴下ノズルを備えた水溜め部を配置し、前記ろ過器具にコーヒー粉を投入して前記滴下ノズルからの滴下水で前記濾し材を介して前記受け容器へコーヒー液を抽出する水出しコーヒー抽出装置において、前記ろ過器具として請求項１ないし６いずれかのろ過器具を使用したことを特徴とする、水出しコーヒー抽出装置。
【手続補正２】
【補正対象書類名】明細書
【補正対象項目名】０００６
【補正方法】変更
【補正の内容】
【０００６】  上記目的を達成するために、請求項１に対応する発明は、水溜め部のノズルから水を滴下させてコーヒーを抽出する装置に使用される濾し材を備えたろ過器具であって、  前記ろ過器具は、その長さ方向における両端部が開口してなる筒状のろ過器具本体と、  前記ろ過器具本体の前記長さ方向における下端に嵌合して設けられた枠材と、  前記枠材に組み込まれ、前記ろ過器具本体の開口を塞ぐようにして設けられた濾し材と、を備えることを特徴とする、ろ過器具に関する。
【手続補正３】
【補正対象書類名】明細書
【補正対象項目名】００１９
【補正方法】変更
【補正の内容】
【００１９】  ろ過器具本体２は、例えばホウケイ酸ガラスをブロー成形して形成することができ、両端が開口された筒形で上端開口は内径５２ｍｍで、下端開口は内径３５ｍｍとすることができる。なお、図１からわかるように、上端開口付近に内径を縮径した第１の縮径部５と、下端開口付近に内径をさらに縮径した第２の縮径部６とが形成されている。そして、第１の縮径部５と第２の縮径部６との間の内径は４７ｍｍとなっており、本実施例では、下端の縮径を１２ｍｍとしたものである。第２の縮径部６は、ろ過器具本体２に対して上述した枠体３を嵌合させて下端開口に取り付ける際の嵌め込み部分を構成するものである。
【手続補正４】
【補正対象書類名】明細書
【補正対象項目名】００２４
【補正方法】変更
【補正の内容】
【００２４】  図４〜６は、本発明のろ過器具１における他の例を示す図である。本例では、図１〜３に関する例に対して、その濾し材の構成を替えたのみであってその他の構成要素については同じである。したがって、以下においては、濾し材の構成要件について詳細に説明する。また、類似あるいは同一の構成要素に関しては、同じ参照数字を用いている。図４は、濾し材４を下側から見た場合の平面図であり、図５は、濾し材４の側断面図であり、図６は、濾し材４の側面図である。
【手続補正５】
【補正対象書類名】図面
【補正対象項目名】図１
【補正方法】変更
【補正の内容】
【図１】
2008154851.tif 000010
【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
水溜め部のノズルから水を滴下させてコーヒーを抽出する装置に使用される濾し材を備えたろ過器具であって、
前記ろ過器具は、その長さ方向における両端部が開口し、下端開口付近に縮径部を形成してなる筒状のろ過器具本体と、
前記ろ過器具本体の前記長さ方向における下端に嵌合して設けられた枠体と、
前記枠体に組み込まれ、前記ろ過器具本体の開口を塞ぐようにして設けられた濾し材とを備え、前記枠体には両端が開口された筒状で上端開口にフランジ部が形成され、前記枠体を前記ろ過器具本体に嵌合させた際に、前記フランジ部を前記ろ過器具本体の前記縮径部にはみ出すようにして構成したことを特徴とする、ろ過器具。
【請求項２】
前記枠体がシリコンからなることを特徴とする、請求項１に記載のろ過器具。
【請求項３】
前記枠体は、前記濾し材を着脱自在に構成したことを特徴とする、請求項１又は２に記載のろ過器具。
【請求項４】
前記濾し材は、前記枠体に対して固定及び支持させるための支持材と、この支持材に連続する濾す機能を有するフィルター部とを含むことを特徴とする、請求項１〜３のいずれか一に記載のろ過器具。
【請求項５】
前記濾し材は、前記フィルター部を下側に窪ませるようにして構成したことを特徴とする、請求項１〜４のいずれか一に記載のろ過器具。
【請求項６】
前記フィルター部を下側に窪ませるように形成する際に、前記支持材に前記濾し材の中心に向かって延在する枝状部を形成したことを特徴とする、請求項５に記載のろ過器具。
【請求項７】
受け容器の上部に濾し材を備えたろ過器具を載置し、前記ろ過器具の上方に水の滴下ノズルを備えた水溜め部を配置し、前記ろ過器具にコーヒー粉を投入して前記滴下ノズルからの滴下水で前記濾し材を介して前記受け容器へコーヒー液を抽出する水出しコーヒー抽出装置において、前記ろ過器具として請求項１ないし６いずれかのろ過器具を使用したことを特徴とする、水出しコーヒー抽出装置。
【手続補正２】
【補正対象書類名】明細書
【補正対象項目名】０００６
【補正方法】変更
【補正の内容】
【０００６】
上記目的を達成するために、請求項１に対応する発明は、
水溜め部のノズルから水を滴下させてコーヒーを抽出する装置に使用される濾し材を備えたろ過器具であって、
前記ろ過器具は、その長さ方向における両端部が開口し、下端開口付近に縮径部を形成してなる筒状のろ過器具本体と、
前記ろ過器具本体の前記長さ方向における下端に嵌合して設けられた枠体と、
前記枠体に組み込まれ、前記ろ過器具本体の開口を塞ぐようにして設けられた濾し材とを備え、前記枠体には両端が開口された筒状で上端開口にフランジ部が形成され、前記枠体を前記ろ過器具本体に嵌合させた際に、前記フランジ部を前記ろ過器具本体の前記縮径部にはみ出すようにして構成したことを特徴とする、ろ過器具に関する。
【手続補正３】
【補正対象書類名】明細書
【補正対象項目名】０００９
【補正方法】変更
【補正の内容】
【０００９】
請求項２に対応する発明は、請求項１に対応する発明に記載のろ過器具において、前記枠体をシリコンとしたものである。枠体をシリコンとしたことにより、下端開口に取り付けるときに、容易に形状を変形させることができ、かつ容易に密着させることができる。
【手続補正４】
【補正対象書類名】明細書
【補正対象項目名】００１０
【補正方法】変更
【補正の内容】
【００１０】
請求項３に対応する発明は、請求項１または２に対応する発明に記載のろ過器具において、前記濾し材を前記枠体に着脱自在としたものである。このように着脱自在とすることにより、濾し材および枠体の洗浄が容易となり、かつこれらのパーツが損傷した場合、容易に取り替えることができる。また、ろ過器具本体も食器洗い機やコップ等を洗うスポンジで容易に洗浄することができる。
【手続補正５】
【補正対象書類名】明細書
【補正対象項目名】００１１
【補正方法】変更
【補正の内容】
【００１１】
請求項４に対応する発明は、請求項１ないし３いずれかに対応する発明に記載のろ過器具において、前記濾し材をフィルター部と支持材とで構成するようにしたものである。このように、濾し材を構成することで、コーヒー粉の重さや滴下される水の重さが加わっても、前記枠体でこの支持材をしっかりと保持することができる。
【手続補正６】
【補正対象書類名】明細書
【補正対象項目名】００１２
【補正方法】変更
【補正の内容】
【００１２】
請求項５に対応する発明は、請求項４に対応する発明に記載のろ過器具において、前記濾し材がコーヒーを抽出するとき、前記フィルター部を下側に窪ませるようにして構成した。このように、前記フィルター部が下に凸となることにより、抽出したコーヒーを凸の所から滴下させることができるので、抽出したコーヒーが容易に滴下しやすくなり、ろ過器具内に留まる抽出したコーヒーを少なくすることができる。
【手続補正７】
【補正対象書類名】明細書
【補正対象項目名】００１３
【補正方法】変更
【補正の内容】
【００１３】
請求項６に対応する発明は、請求項５に対応する発明に記載のろ過器具において、前記フィルター部を下側に窪ませるように形成する際に、前記支持材に前記濾し材の中心に向かって延在する枝状部を形成した。前記フィルター部が下側に窪む際に、その変形の一部を少なくとも前記濾し材の前記支持体が担うようにすることによって、前記フィルター部が下側に窪んだ際におけるその強度を十分に高く保持することができる。